(57)【要約】【課題】旋回流形成方式の排水トラップにおいて、浴槽排水が大量に流入しても洗い場に溢れることを防止する。【解決手段】下部ハウジング２２の周壁に流入口１１が接続されている。流入口１１は、下部ハウジング２２の内周面の接線方向を指向しているので、下部ハウジング２２内に流入した水は、周壁に沿って旋回する。旋回水の一部がバイパス流路３０を介して導水室４０へ流入する。バイパス流路３０から導水室４０へ水が開口２４の接線方向に流入し、導水室４０内に受入室２０内と同方向の旋回流が形成される。【選択図】図２
2009167591.tif 000002
【特許請求の範囲】
【請求項１】
洗い場排水の受入口が上部に設けられていると共に、浴槽排水を周壁の浴槽排水流入口から略接線方向に受け入れて旋回流を形成させる略円筒形の受入室を有する排水トラップにおいて、
該受入室の底面の中心部に、該受入室内の水を排水流路に流出させるための開口が設けられており、
該受入室の周壁に、該受入室内の旋回流の一部を略接線方向に流出させて前記排水流路に導くバイパス流路が接続されていることを特徴とする排水トラップ。
【請求項２】
請求項１において、前記受入室の下側に、水を排水口に導くための導水室が設けられ、
前記開口は、該受入室内の水を該導水室に流出させるように設けられており、
前記バイパス流路の末端側が該導水室に接続されていることを特徴とする排水トラップ。
【請求項３】
請求項２において、前記バイパス流路の末端側は、前記導水室内へ水を前記開口の略接線方向に流入させて該導水室内に旋回流を形成するように、かつ受入室内の旋回方向と導水室内の旋回方向とが同方向となるように、該導水室に接続されていることを特徴とする排水トラップ。
【請求項４】
請求項１ないし３のいずれか１項において、前記受入室の周壁の下部は、上部よりも大径であり、これにより該受入室の下部の周壁に沿って受入室を周回する環状水路が形成されており、
前記浴槽排水流入口は該環状水路内に水を流入させるように設けられており、
前記バイパス流路は、該環状水路から水を流出させるように設けられていることを特徴とする排水トラップ。
【請求項５】
請求項１ないし４のいずれか１項において、前記浴槽排水流入口又はそれよりも浴槽側に、受入室から浴槽へ向う水の流れを阻止する逆止弁が設けられていることを特徴とする排水トラップ。
【請求項６】
請求項１ないし５のいずれか１項において、前記受入室内に上方からヘアキャッチャーが差し込まれていることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【特許文献１】特許第３８８６０５５号
【発明の開示】
【発明が解決しようとする課題】
【０００３】
この特許第３８８６０５５号の排水トラップにあっては、浴槽の水位が高い場合に浴槽の排水栓を開けると、浴槽から急激に大量の浴槽排水がこの排水トラップに流入し、洗い場へ溢れ出るおそれがある。旋回流形成方式の排水トラップの場合、旋回流（渦）には遠心力があり、水位が旋回室の壁沿いに上昇しやすく、通常の排水トラップより溢れやすい。
【０００４】
本発明は、旋回流形成方式の排水トラップにおいて、浴槽から大量に水が流入してきても、水が洗い場に溢れ出ることを防止することを目的とする。
【課題を解決するための手段】
【０００５】
請求項１の排水トラップは、洗い場排水の受入口が上部に設けられていると共に、浴槽排水を周壁の浴槽排水流入口から略接線方向に受け入れてトラップ内で旋回流を形成させる略円筒形の受入室を有する排水トラップにおいて、該受入室の底面の中心部に、該受入室内の水を排水流路に流出させるための開口が設けられており、該受入室の周壁に、該受入室内の旋回流の一部を略接線方向に流出させて前記排水流路に導くバイパス流路が接続されていることを特徴とするものである。
【０００６】
請求項２の排水トラップは、請求項１において、前記受入室の下側に、水を排水口に導くための導水室が設けられ、前記開口は、該受入室内の水を該導水室に流出させるように設けられており、前記バイパス流路の末端側が該導水室に接続されていることを特徴とするものである。
【０００７】
請求項３の排水トラップは、請求項２において、前記バイパス流路の末端側は、前記導水室内へ水を前記開口の略接線方向に流入させて該導水室内に旋回流を形成するように、かつ受入室内の旋回方向と導水室内の旋回方向とが同方向となるように、該導水室に接続されていることを特徴とするものである。
【０００８】
請求項４の排水トラップは、請求項１ないし３のいずれか１項において、前記受入室の周壁の下部は、上部よりも大径であり、これにより該受入室の下部の周壁に沿って受入室を周回する環状水路が形成されており、前記浴槽排水流入口は該環状水路内に水を流入させるように設けられており、前記バイパス流路は、該環状水路から水を流出させるように設けられていることを特徴とするものである。
【０００９】
請求項５の排水トラップは、請求項１ないし４のいずれか１項において、前記浴槽排水流入口又はそれよりも浴槽側に、受入室から浴槽へ向う水の流れを阻止する逆止弁が設けられていることを特徴とするものである。
【００１０】
請求項６の排水トラップは、請求項１ないし５のいずれか１項において、前記受入室内に上方からヘアキャッチャーが差し込まれていることを特徴とするものである。
【発明の効果】
【００１１】
本発明の排水トラップにあっては、浴槽排水流入口から受入室内に流入した水は、受入室周壁に沿って旋回する。これにより、ゴミがヘアキャッチャーの中心に効率よく集められると共に、ヘアキャッチャーや排水枡が浄化される。
【００１２】
本発明の排水トラップは、受入室内で旋回している水を受入室底面中心部の開口と、受入室周壁のバイパス流路との双方によって流出させるよう構成している。
【００１３】
この受入室の底部の中心部に開口を設けることにより、旋回により形成された渦の中心部の水が該開口に落ち込むようにして流出する。これにより、ゴミがヘアキャッチャーの中心部に効率よく集められる。
【００１４】
また、この旋回流の一部は、受入室周壁から略接線方向にバイパス流路へ流出する。このバイパス流路が略接線方向に流出するので、大量の浴槽排水が受入室に流入してきた場合でも、水を速やかにバイパス流路へ流出させることができる。これにより、排水トラップから洗い場に水が溢れ出ることが防止される。
【００１５】
請求項２のように、バイパス流路を導水室に接続した場合には、バイパス流路の流路長が短くて足り、排水トラップの構成がコンパクトなものとなる。
【００１６】
請求項３のように、導水室内において受入室と同方向の旋回流が形成されるよう構成した場合、この受入室内の旋回流と導水室内の旋回流とが連動することにより、受入室内の旋回流速が増大する。これにより、ゴミがヘアキャッチャーの中心に効率よく集められると共に、ヘアキャッチャーの浄化作用も強くなる。
【００１７】
請求項４のように、受入室の下部に大径部によって環状水路を形成し、浴槽排水を該環状水路に導入するよう構成した場合、受入室内に流入した浴槽排水が短絡的に上方へ拡幅することが防止され、受入室内に強力な旋回流を形成することができる。また、この環状水路から水をバイパス流路へスムーズに流出させることができる。
【００１８】
請求項５のように、逆止弁を設けることにより、洗い場から排水トラップ内に大量に水が流入した場合であっても、受入室から浴槽側へ水が逆流することを防止することができる。
【発明を実施するための最良の形態】
【００１９】
以下、本発明の実施の形態を図面に基づいて説明する。
【００２０】
第１図は排水トラップの斜視図、第２図は第１図のII−II線断面斜視図、第３図は排水トラップの縦断面図、第４図は第１図のIV−IV線断面斜視図、第５図は実施の形態に係る排水トラップを備えた浴室の概略斜視図である。
【００２１】
第５図の通り、洗い場パン２の浴槽３側に排水枡６が一体形成されている。この排水枡６に対し下側から排水トラップ１０が連結されている。
【００２２】
排水トラップ１０の側面の流入口１１と浴槽３の底面の排水口３ａとが配管４を介して接続されている。
【００２３】
また、排水トラップ１０の上面部には、洗い場２側からの排水が排水枡６を通り流入する洗い場排水受入口Ａ（第３図）が設けられている。排水トラップ１０の排水口６０には排水管７（第５図）が接続されている。
【００２４】
排水枡６は洗い場パン２と一体状に凹み状に形成されている。その上面には排水目皿８（第５図）が覆設されている。
【００２５】
排水枡６の底側にはフランジ部材１２がパッキン（図示略）を介して取り付けられ、このフランジ部材１２にネジ込み方式により、排水トラップ１０の上端が取り付けられている。なお、排水トラップ１０の上端に設けられたフランジ２１ｆとフランジ部材１２とによって排水枡６の底面の開口の縁部が挟持される。
【００２６】
フランジ部材１２を通して排水トラップ１０内に上方から着脱可能にヘアキャッチャー１３が差し込まれている。このヘアキャッチャー１３は、上面が開いたカゴ（篭）状である。
【００２７】
この実施の形態では、ヘアキャッチャー１３は下方側へ向かって縮径する略逆円錐台形状を有する。ヘアキャッチャー１３は、その下端が排水トラップ１０内の封水面Ｗ（第３図）よりも若干（例えば１０ｍｍ以下程度）上方に位置するようにフランジ部材１２に支持されている。なお、ヘアキャッチャー１３は、排水トラップ１０内に形成される旋回流によって上方に押されても浮き上がらないようにフランジ部材１２に係止部（図示略）によって係止されている。
【００２８】
排水トラップ１０の構成について次に詳細に説明する。
【００２９】
この排水トラップ１０は、受入室２０と、受入室２０の下側の導水室４０と、該導水室４０から立ち上がる立上室５０と、該立上室５０の側面に開口する排水口６０とから主として構成されている。
【００３０】
受入室２０は、それぞれ円筒形の上部ハウジング２１と、この上部ハウジング２１の下端に連なる、上部ハウジング２１よりも大径の下部ハウジング２２とによって周壁が構成されている。なお、この実施の形態では、下部ハウジング２２から垂下筒部２５が垂設されている。
【００３１】
上部ハウジング２１は、水平断面形状が真円形の円筒形であるが、若干のテーパーを有していてもよい。
【００３２】
下部ハウジング２２は、この実施の形態では、天井面２２ａと、周面２２ｂと、底面２２ｃとからなるコ字形断面形状である。この下部ハウジング２２により、受入室２０の下部を周回する環状水路が構成されている。
【００３３】
下部ハウジング２２の周壁に流入口１１が接続されている。この流入口１１は、下部ハウジング２２の内周面の接線方向を指向している。これにより、流入口１１から下部ハウジング２２に流入する水は、受入室２０内で旋回流を形成することが可能となっている。
【００３４】
この実施の形態では、第２図の通り、この流入口１１に逆止弁２８が設けられている。この逆止弁２８は、下部ハウジング２２の内周面と同一の曲率にて湾曲する曲板よりなる。この逆止弁２８は、鉛直な支軸２８ａによって下部ハウジング２２に回動自在に取り付けられている。流入口１１から浴槽排水が流入するときには、流入口１１は開となるが、受入室２０から流入口１１へ水が流出しようとすると、逆止弁２８が閉となり、逆流が防止される。
【００３５】
受入室２０の底面の中心部には、受入室２０内と導水室４０内とを連通するための開口２４が設けられている。
【００３６】
この実施の形態では、下部ハウジング２２の底面２２ｃの内周縁から前記垂下筒部２５が下方に突設されている。この垂下筒部２５は上部ハウジング２１と同軸状かつ略同直径となっている。この垂下筒部２５の内側にテーパブロック２６が嵌合設置されている。
【００３７】
このテーパブロック２６は、略リング形の部材であり、外周面が垂下筒部２５に接し、底面が導水室４０の天井板部分に接している。テーパブロック２６は、中心ほど下位となるテーパ面２６ａを有している。テーパブロック２６の高さは垂下筒部２５と略同一か若干小さくなっており、テーパ面２６ａの上縁は、下部ハウジング２２の底面２２ｃと略同一高さか又はそれよりも若干低位となっている。テーパブロック２６の中心部に円形の開口２６ｂが設けられている。この開口２６ｂの縁部は前記開口２４に内嵌している。
【００３８】
導水室４０は、受入室２０から一方（各図における左方）に延出している。導水室４０の延在方向の先端側に、上方に立ち上がる立上室５０が設けられている。
【００３９】
この立上室５０の上部の側面に排水口６０が開口している。この排水口６０の下縁が封水面Ｗ（第３図）となっている。この排水口６０の下縁は、流入口１１の上端よりも上位となっている。
【００４０】
この実施の形態では、下部ハウジング２２と導水室４０との間に、開口２４を迂回して両者を連通するバイパス流路３０が設けられている。このバイパス流路３０は、下部ハウジング２２に接線方向に連なる水平な上横引管３１と、上横引管３１の延出方向の先端に連なり、下方に延在した縦管３２と、該縦管３２の下端と導水室４０との間をつなぐ下横引管３３とを備えている。
【００４１】
この上横引管３１の下部ハウジング２２に対する接続方向は、環状水路内を旋回する水の順流方向すなわち旋回する水がそのまま飛び込む方向である。
【００４２】
下横引管３３の導水室４０への接続方向は、下横引管の管軸方向の延長線が開口２４の略接線方向となる方向であって、かつこの下横引管３３からの流入水によって導水室４０内に形成される旋回流の方向が受入室２０内の旋回流の方向と同方向となるものである。
【００４３】
このように構成された排水トラップの作動について次に説明する。
【００４４】
水を張った浴槽３の排水口３ａの排水栓を抜くと、浴槽３内の水が流入口１１から受入室２０内に流入し、まず下部ハウジング２２の内周面に沿って流れて旋回流を形成する。
【００４５】
この旋回流の一部は、バイパス流路３０を通って導水室４０へ流出する。このバイパス流路３０から導水室４０内に開口２４の略接線方向に水が流入するので、導水室４０内でも開口２４を周回する旋回流が形成される。この導水室４０内の旋回流の方向は受入室２０内の旋回流の旋回方向と同方向であるため、旋回流速が増大する。また、この実施の形態では、下部ハウジング２２を上部ハウジング２１よりも大径とし、これにより環状水路を形成しており、この環状水路に浴槽排水を導入するようにしているので、受入室２０内に流入して旋回を開始した水が受入室２０の内周面に沿って短絡的に上下に広がることがない。これにより、受入室２０内に強い旋回流が形成されるようになる。
【００４６】
下部ハウジング２２内の水位は次第に上昇して上部ハウジング２１に達し、更に水位が上昇してヘアキャッチャー１３あるいはさらに排水枡６が旋回流に浸水した状態となる。これにより、排水枡６の内面やヘアキャッチャー１３に付着しているゴミや毛髪がこすり落とされて、ゴミや髪の毛は渦の中心に集められ、渦の中心から下方へ落下し、ヘアキャッチャー１３の下端の底面中央部に良好に集められる。
【００４７】
受入室２０内で旋回している水の一部は、渦の中心付近から開口２４を経て導水室４０へ流出する。その後、水は、立上室５０を経て排水口６０から流出する。
【００４８】
この実施の形態では、バイパス流路３０を設けており、浴槽３から水が大量に流入してきても、排水トラップ１０から洗い場パン２の上側にまで水が溢れ出ることがない。
【００４９】
浴槽３からすべての水が流出すると、旋回流は停止し、排水トラップ１０内には封水面Ｗのレベルの封水が残る。
【００５０】
これにより、排水管７側と洗い場及び浴槽３側とはいずれも封水によって隔絶されることになり、排水管７の臭気が洗い場や浴槽３へ逆流することが防止される。
【００５１】
なお、この実施の形態では、下部ハウジング２２をコ字形断面形状としているが、半円形断面形状や半楕円形断面形状としてもよい。
【００５２】
第６図は、別の実施の形態に係る排水トラップ１０Ａの斜視図、第７図〜第９図はこの排水トラップの断面斜視図である。この排水トラップ１０Ａは、受入室２０Ａを、膨出した形状の下部ケーシングが省略された等径円筒状としたものである。
【００５３】
この排水トラップ１０Ａのその他の構成は第１図〜第５図の排水トラップ１０と同様であり、同一符号は同一部分を示している。
【００５４】
この排水トラップ１０Ａにおいても、受入室２０Ａ内に強力な旋回流が形成され、ヘアキャッチャー１３や排水枡６が十分に洗浄される。また、ゴミがヘアキャッチャー１３の中心部に効率よく集められる。
【００５５】
上記実施の形態では、バイパス流路３０を構成する管３１〜３３が互いに略直交するよう構成されているが、バイパス流路３０は湾曲した曲管たとえばＵ字管にて構成されてもよい。
【００５６】
本発明では、排水枡の水平断面形状は、角形、円形など任意であるが、円形とした場合には、排水枡内での水の旋回流がスムーズなものとなる。
【００５７】
また、排水枡を、上端部は方形であるが下端側は円形となっており、上端部から下端部にかけて水平断面形状が方形から円形に徐々に変化するものであってもよい。第１０図はその一例に係る排水枡６Ａを有した洗い場パン２Ａの排水枡付近の斜視図、第１１図は目皿を装着した場合の排水枡付近の斜視図、第１２図は第１１図のXII−XII線断面図である。
【００５８】
図示の通り、排水枡６Ａの上端部は方形（この実施の形態では長方形）であり、下端は円形である。排水枡６Ａの上端には、目皿８を載せるための段部６ｄが設けられている。排水枡６Ａの底面の円形の開口にフランジ１２が係止される。この排水枡６Ａであれば、下部が円形の水平断面形状となっているため、この下部において強力な旋回流が形成され易いものとなる。
【図面の簡単な説明】
【００５９】
【図１】実施の形態に係る排水トラップの斜視図である。
【図２】図１の排水トラップの水平断面図である。
【図３】図１の排水トラップの縦断面図である。
【図４】図１の排水トラップの水平断面図である。
【図５】図１の排水トラップを備えた浴室の斜視図である。
【図６】別の実施の形態に係る排水トラップの斜視図である。
【図７】図６の排水トラップの水平断面図である。
【図８】図６の排水トラップの縦断面図である。
【図９】図６の排水トラップの水平断面図である。
【図１０】異なる実施の形態に用いられる洗い場パンの排水枡近傍の斜視図である。
【図１１】図１０の洗い場パンの目皿を取り除いた状態の斜視図である。
【図１２】図１１のXII−XII線断面図である。
【符号の説明】
【００６０】
２，２Ａ  洗い場パン
３  浴槽
６，６Ａ  排水枡
１０，１０Ａ  排水トラップ
１３  ヘアキャッチャー
２０，２０Ａ  受入室
２１  上部ハウジング
２２  下部ハウジング
２４  開口
２５  垂下筒部
２６  テーパブロック
２８  逆止弁
２８ａ  支軸
３０  バイパス流路
４０  導水室
５０  立上室
６０  排水口
【図１】
2009167591.tif 000003
【図２】
2009167591.tif 000004
【図３】
2009167591.tif 000005
【図４】
2009167591.tif 000006
【図５】
2009167591.tif 000007
【図６】
2009167591.tif 000008
【図７】
2009167591.tif 000009
【図８】
2009167591.tif 000010
【図９】
2009167591.tif 000011
【図１０】
2009167591.tif 000012
【図１１】
2009167591.tif 000013
【図１２】
2009167591.tif 000014